【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
１，２，３−ベンゼントリカルボン酸のカルシウム指数値より大きいカルシウム指数値を有する、少なくとも１つの結合した有機基を有する少なくとも１つの顔料；
少なくとも１５０の酸価および１，０００〜１５，０００の範囲の質量平均分子量を有する少なくとも１つのアクリルポリマー；および
水性液体媒体
を含み、前記少なくとも１つのアクリルポリマーが、少なくとも２０ｍｏｌ％の量の少なくとも１つのアクリルモノマーと、スチレンから選択される少なくとも１つの第２のモノマーとを含むコポリマーであり、前記スチレンが、α−メチルスチレン、ｏ−メチルスチレン、ｍ−メチルスチレン、及びｐ−メチルスチレンから選択される、インクジェットインク組成物。
【請求項２】
前記酸価が、１５０〜４００の範囲にある、請求項１に記載の組成物。
【請求項３】
前記酸価が、少なくとも１６０である、請求項１に記載の組成物。
【請求項４】
前記分子量が、１，０００〜１３，０００の範囲にある、請求項１から３のいずれか１項に記載の組成物。
【請求項５】
前記少なくとも１つのアクリルポリマーが、前記水性液体媒体中で自己分散性または可溶性である、請求項１から４のいずれか１項に記載の組成物。
【請求項６】
前記少なくとも１つのアクリルポリマーが、アルカリ金属および有機アミンのうちの少なくとも１つの塩である、請求項１から５のいずれか１項に記載の組成物。
【請求項７】
前記少なくとも１つのアクリルポリマーが、２０ｍｏｌ％〜７５ｍｏｌ％の範囲の量の少なくとも１つのアクリルモノマーを含む、請求項１に記載の組成物。
【請求項８】
前記少なくとも１つのアクリルモノマーが、アクリル酸、メタアクリル酸、クロトン酸、エタクリル酸、プロピルアクリル酸、イソプロピルアクリル酸、イタコン酸、フマル酸、およびそれらの塩から選択される、請求項７に記載の組成物。
【請求項９】
前記少なくとも１つのアクリルモノマーが、アクリル酸およびメタアクリル酸から選択される、請求項７に記載の組成物。
【請求項１０】
前記少なくとも１つの有機基が、少なくとも２つのホスホン酸基、そのエステルまたはその塩を含む、請求項１から９のいずれか１項に記載の組成物。
【請求項１１】
前記少なくとも１つの有機基が、少なくとも１つのジェミナルビスホスホン酸基、そのエステルまたはその塩を含む、請求項１から９のいずれか１項に記載の組成物。
【請求項１２】
前記少なくとも１つの有機基が、式−ＣＱ（ＰＯ3Ｈ2）2またはその塩を有する少なくとも１つの基を含み、式中、Ｑが、Ｈ、Ｒ、ＯＲ、ＳＲまたはＮＲ2であり、Ｒは、同じでも異なっていてもよく、Ｈ、Ｃ1−Ｃ18アルキル、Ｃ1−Ｃ18アシル、アラルキル、アルカリール、およびアリールから選択される、請求項１から９のいずれか１項に記載の組成物。
【請求項１３】
前記少なくとも１つの有機基が、式−（ＣＨ2）ｎ−ＣＱ（ＰＯ3Ｈ2）2またはその塩を有する少なくとも１つの基を含み、式中、ｎは１〜９の範囲の整数である、請求項１から９のいずれか１項に記載の組成物。
【請求項１４】
前記少なくとも１つの有機基が、式−ＣＲ＝Ｃ（ＰＯ3Ｈ2）2またはその塩を有する少なくとも１つの基を含み、式中、Ｒが、Ｈ、Ｃ1−Ｃ6アルキル、アリールから選択される、請求項１から９のいずれか１項に記載の組成物。
【請求項１５】
前記少なくとも１つの有機基が、少なくとも１つのホスホン酸基またはその塩、および前記少なくとも１つのホスホン酸基またはその塩にビシナルまたはジェミナルな、少なくとも１つの第２のイオン性、イオン化可能な、または塩基性の基を含む、請求項１から９のいずれか１項に記載の組成物。
【請求項１６】
前記水性液体媒体が水である、請求項１から１５のいずれか１項に記載の組成物。
【手続補正２】
【補正対象書類名】明細書
【補正対象項目名】００５５
【補正方法】変更
【補正の内容】
【００５５】
用語「１つの（ａ）」および「１つの（ａｎ）」および「その（ｔｈｅ）」の使用は、本明細書で別段の指示がない限り、または文脈から明白に矛盾しない限り、単数と複数の両方を網羅すると解釈されるべきである。用語「含む（ｃｏｍｐｒｉｓｉｎｇ）」、「有する（ｈａｖｉｎｇ）」、「含む（ｉｎｃｌｕｄｉｎｇ）」、および「含有する（ｃｏｎｔａｉｎｉｎｇ）」は、別段の留意がない限り、オープンエンドの用語（すなわち、「含むが、これに限定されない」を意味する）として解釈されるべきである。本明細書の値の範囲の列挙は、本明細書で別段の指示がない限り、該範囲内に入るそれぞれ別個の値を個々に指す簡略方法として機能すると単に意図され、それぞれ別個の値は、あたかも個々に本明細書で列挙されるように明細書に組み込まれる。本明細書に記載されるすべての方法は、本明細書で別段の指示がない限り、または他の方法で文脈から明白に矛盾しない限り、任意の適切な順番で実施することができる。本明細書で提供される任意のおよびすべての例、または例示的な言語（例えば、「などの／例えば（ｓｕｃｈ  ａｓ）」）の使用は、単に本発明をより良く明らかにするものであり、別段の主張がない限り本発明の範囲を制限しない。明細書のどんな言語も本発明の実施に不可欠な任意のクレームしない要素を示唆すると解釈されるべきではない。
本発明のまた別の態様は、以下のとおりであってもよい。
〔１〕１，２，３−ベンゼントリカルボン酸のカルシウム指数値より大きいカルシウム指数値を有する、少なくとも１つの結合した有機基を有する少なくとも１つの顔料；
少なくとも１５０の酸価および１，０００〜１５，０００の範囲の質量平均分子量を有する少なくとも１つのアクリルポリマー；および
水性液体媒体
を含むインクジェットインク組成物。
〔２〕前記酸価が、１５０〜４００の範囲にある、前記〔１〕に記載の組成物。
〔３〕前記酸価が、少なくとも１６０である、前記〔１〕に記載の組成物。
〔４〕前記分子量が、１，０００〜１３，０００の範囲にある、前記〔１〕から〔３〕のいずれか１項に記載の組成物。
〔５〕前記少なくとも１つのアクリルポリマーが、前記水性液体媒体中で自己分散性または可溶性である、前記〔１〕から〔４〕のいずれか１項に記載の組成物。
〔６〕前記少なくとも１つのアクリルポリマーが、アルカリ金属および有機アミンのうちの少なくとも１つの塩である、前記〔１〕から〔５〕のいずれか１項に記載の組成物。
〔７〕前記少なくとも１つのアクリルポリマーが、コポリマーである、前記〔１〕から〔６〕のいずれか１項に記載の組成物。
〔８〕前記少なくとも１つのアクリルポリマーが、少なくとも２０ｍｏｌ％の量の少なくとも１つのアクリルモノマーを含む、前記〔１〕に記載の組成物。
〔９〕前記少なくとも１つのアクリルポリマーが、２０ｍｏｌ％〜７５ｍｏｌ％の範囲の量の少なくとも１つのアクリルモノマーを含む、前記〔１〕に記載の組成物。
〔１０〕前記少なくとも１つのアクリルモノマーが、アクリル酸、メタアクリル酸、クロトン酸、エタクリル酸、プロピルアクリル酸、イソプロピルアクリル酸、イタコン酸、フマル酸、およびそれらの塩から選択される、前記〔８〕または〔９〕に記載の組成物。
〔１１〕前記少なくとも１つのアクリルモノマーが、アクリル酸およびメタアクリル酸から選択される、前記〔８〕または〔９〕に記載の組成物。
〔１２〕アクリル酸、メタアクリル酸、クロトン酸、エタクリル酸、プロピルアクリル酸、イソプロピルアクリル酸、イタコン酸、フマル酸、およびマレイン酸の、エステル、アミノエステルおよびアミド；油および脂肪酸とオキシラン構造を有する（メタ）アクリル酸エステルモノマーとの間の付加反応生成物；３個以上の炭素原子を有するアルキル基を含有するオキシラン化合物と（メタ）アクリル酸との間の付加反応生成物；スチレン；アクリロニトリル；アセテート；ならびにアリルアルコールから選択される少なくとも１つの第２のモノマーをさらに含む、前記〔８〕から〔１１〕のいずれか１項に記載の組成物。
〔１３〕前記少なくとも１つの有機基が、少なくとも２つのホスホン酸基、そのエステルまたはその塩を含む、前記〔１〕から〔１２〕のいずれか１項に記載の組成物。
〔１４〕前記少なくとも１つの有機基が、少なくとも１つのジェミナルビスホスホン酸基、そのエステルまたはその塩を含む、前記〔１〕から〔１２〕のいずれか１項に記載の組成物。
〔１５〕前記少なくとも１つの有機基が、式−ＣＱ（ＰＯ3Ｈ2）2またはその塩を有する少なくとも１つの基を含み、式中、Ｑが、Ｈ、Ｒ、ＯＲ、ＳＲまたはＮＲ2であり、Ｒは、同じでも異なっていてもよく、Ｈ、Ｃ1−Ｃ18アルキル、Ｃ1−Ｃ18アシル、アラルキル、アルカリール、およびアリールから選択される、前記〔１〕から〔１２〕のいずれか１項に記載の組成物。
〔１６〕前記少なくとも１つの有機基が、式−（ＣＨ2）ｎ−ＣＱ（ＰＯ3Ｈ2）2またはその塩を有する少なくとも１つの基を含み、式中、ｎは１〜９の範囲の整数である、前記〔１〕から〔１２〕のいずれか１項に記載の組成物。
〔１７〕前記少なくとも１つの有機基が、式−ＣＲ＝Ｃ（ＰＯ3Ｈ2）2またはその塩を有する少なくとも１つの基を含み、式中、Ｒが、Ｈ、Ｃ1−Ｃ6アルキル、アリールから選択される、前記〔１〕から〔１２〕のいずれか１項に記載の組成物。
〔１８〕前記少なくとも１つの有機基が、少なくとも１つのホスホン酸基またはその塩、および前記少なくとも１つのホスホン酸基またはその塩にビシナルまたはジェミナルな、少なくとも１つの第２のイオン性、イオン化可能な、または塩基性の基を含む、前記〔１〕から〔１２〕のいずれか１項に記載の組成物。
〔１９〕前記水性液体媒体が水である、前記〔１〕から〔１８〕のいずれか１項に記載の組成物。